(57)【要約】【課題】不正なコインと正規なコインとを正確に識別することで、コインの不正使用を未然に防止する。【解決手段】コインの種類を識別することが可能な識別情報付きコイン２であって、円板状の形状を成したコイン本体４と、コイン本体に施された識別部６とを備え、識別部には、コインの種類を識別するための識別情報が記録されており、識別部に対して外的要因（識別情報読取用光Ｌ１）を作用させた際に、識別部を透過した透過光データ（透過光Ｌ２）に基づいて、識別部に記録された識別情報を読み取る。識別部には、同心円状に配置された複数の円形線１４ａ，１４ｂ，１４ｃ，１４ｄ，１４ｅが描かれており、これら複数の円形線の配置間隔Ｈ１，Ｈ２，Ｈ３，Ｈ４と線幅Ｍとの組み合わせによってコインの種類を識別するための識別情報が記録される。【選択図】    図１
2004288116.tif 000002
【特許請求の範囲】
【請求項１】
コインの種類を識別することが可能な識別情報付きコインであって、
所定形状を成したコイン本体と、
前記コイン本体に施された識別部とを備え、
前記識別部には、前記コインの種類を識別するための識別情報が記録されており、前記識別部に対して外的要因を作用させた際に、前記識別部を透過した透過光データに基づいて、前記識別部に記録された識別情報を読み取ることが可能な識別情報付きコイン。
【請求項２】
コインの種類を識別することが可能な識別情報付きコインであって、
所定形状を成したコイン本体と、
前記コイン本体に施された識別部とを備え、
前記識別部には、前記コインの種類を識別するための識別情報が記録されており、前記識別部に対して外的要因を作用させた際に、前記識別部から得られる透過光パターンに基づいて、前記識別部に記録された識別情報を読み取ることが可能な識別情報付きコイン。
【請求項３】
前記コイン本体は円板状の形状を成しており、前記識別部には同心円状に配置された複数の円形線が描かれており、これら複数の円形線の配置間隔と幅寸法との組み合わせによって、前記コインの種類を識別するための識別情報が記録されることを特徴とする請求項１又は２に記載の識別情報付きコイン。
【請求項４】
前記複数の円形線は、薄板状のベース部材に形成されており、前記複数の円形線が形成されたベース部材を前記コイン本体の前記識別部に設けることによって、前記識別部に前記コインの種類を識別するための識別情報が記録されることを特徴とする請求項３に記載の識別情報付きコイン。
【請求項５】
前記外的要因は、識別情報読取用光であり、また、前記透過光データは、前記識別情報読取用光を前記識別部に照射した際に、前記識別部を透過した透過光であって、この透過光の光学的特性を検出することによって、前記識別部に記録された識別情報を読み取ることが可能な請求項１〜４のいずれか１に記載の識別情報付きコイン。
【発明の詳細な説明】
【０００１】
【発明の属する技術分野】
本発明は、例えば遊技施設内の遊技機に対する不正使用を防止することが可能な識別情報付きコインに関する。
【０００２】
【従来の技術】
従来から、例えばスロットマシン、パチスロ、アーケードゲーム機等の遊技機でプレイするためのコインが知られており、遊技者は、手持ちの現金でコインを借り入れ、そのコインを用いることで各種遊技機でのプレイが可能となる。
また、近年では、各種遊技内容に関するバーコード情報を持たせた遊技機が知られており、遊技開始前にバーコード情報を再生することによって各種ゲームが展開される（例えば、特許文献１参照）。
【０００３】
【特許文献１】
特開平９−１４７０７６号公報
【０００４】
【発明が解決しようとする課題】
ところで、各種遊技機が設置された遊技施設は各所に点在しており、それら各施設内で使用されるコインは、その寸法や重量がほぼ共通のものが一般的である。そのため、他の遊技施設で借り入れたコインを別の遊技施設内でも使用することが可能な状況となっている。この結果、他の遊技施設で借り入れたコインを不正に使用しても、正規にコインを借り入れた遊技者と同様に、各種遊技機でプレイすることができてしまう。また、各々の遊技施設の売り上げは、コインの借入金額に略比例して増減するため、不正なコインを持ち込まれると、その分だけ当該遊技施設の売り上げが減少してしまう。
本発明は、このような問題を解決するために成されており、その目的は、不正なコインと正規なコインとを正確に識別することによって、コインの不正使用を未然に防止することが可能な識別情報付きコインを提供することにある。
【０００５】
【課題を解決するための手段】
このような目的を達成するために、本発明は、コインの種類を識別することが可能な識別情報付きコイン２であって、所定形状を成したコイン本体４と、コイン本体に施された識別部６とを備え、識別部には、コインの種類を識別するための識別情報が記録されており、識別部に対して外的要因（例えば識別情報読取用光）を作用させた際に、識別部を透過した透過光データ（例えば透過光）に基づいて、識別部に記録された識別情報を読み取る。この場合、識別部には、同心円状に配置された複数の円形線が描かれており、これら複数の円形線の配置間隔と幅寸法との組み合わせによってコインの種類を識別するための識別情報が記録される。
【０００６】
【発明の実施の形態】
以下、本発明の一実施の形態に係る識別情報付きコインについて、図１を参照して説明する。
図１（ａ）〜（ｃ）に示すように、識別情報付きコイン２は、所定形状を成したコイン本体４と、このコイン本体４に施された識別部６とを備えている。識別部６には、コイン２の種類を識別するための識別情報が記録されており、識別部６に対して外的要因を作用させた際に、識別部６を透過した透過データに基づいて、識別部６に記録された識別情報を読み取ることができるように構成されている。この場合、外的要因は、例えばレーザー光や自然光などの識別情報読取用光Ｌ１であり、透過データは、識別情報読取用光Ｌ１を識別部６に照射した際に、識別部６を透過した透過光Ｌ２を想定しており、この透過光Ｌ２の光学的特性（例えば、散乱状態や干渉現象など）を検出することによって、識別部６に記録された識別情報を光学的に読み取ることができるようになっている。
なお、コイン２の種類とは、遊技施設名やコインの価値などを含めた上位概念を意味する。
【０００７】
コイン本体４は、不透明部材（例えば、金属、鉛、樹脂などの光反射部材）で形成された薄板円板状を成しており、識別部６は、コイン本体４の中央部分に且つコイン本体４と同中心に設けられている。コイン本体４の中央部分（即ち、識別部６に相当する部分）には、円形孔４ａが形成されており、この円形孔４ａのセンターにベース部材８が埋め込まれている。ベース部材８の両側には、例えば樹脂やガラスなどの透光材１０，１２が充填されており、これら透光材１０，１２によってベース部材８は外部から隔絶されている。この場合、識別部６にベース部材８を埋め込むプロセスとしては、例えば、コイン本体４の中央部分（即ち、識別部６に相当する部分）に円形孔４ａを形成した後、この円形孔４ａのセンターにベース部材８を嵌合させ、その両側に透光材１０，１２を充填すれば良い。
【０００８】
ベース部材８の両面或いは片面には、同心円状に配置された複数の円形線１４ａ，１４ｂ，１４ｃ，１４ｄ，１４ｅが描かれており、これら円形線１４ａ，１４ｂ，１４ｃ，１４ｄ，１４ｅによってコイン２の種類を識別するための識別情報が記録されている。具体的に説明すると、複数の円形線１４ａ，１４ｂ，１４ｃ，１４ｄ，１４ｅは、それぞれ遮光部材（光吸収部材）で描かれており、これら複数の円形線１４ａ，１４ｂ，１４ｃ，１４ｄ，１４ｅの本数（本実施の形態では５本）と配置間隔Ｈ１，Ｈ２，Ｈ３，Ｈ４と線幅Ｍとの組み合わせによってコインの種類を識別するための識別情報が記録される。なお、本実施の形態では、円形線１４ａが最も太線であり、円形線１４ｂから円形線１４ｄに移るに従って細線化し、円形線１４ｅに至っては円形内全体に亘って遮光部材が描かれている。
【０００９】
この場合、識別部６に照射された識別情報読取光Ｌ１は、複数の円形線１４ａ，１４ｂ，１４ｃ，１４ｄ，１４ｅの部分から反射し、複数の円形線１４ａ，１４ｂ，１４ｃ，１４ｄ，１４ｅ相互の線隙間Ｅ１，Ｅ２，Ｅ３，Ｅ４を透過する。この結果、識別部６全体からの透過光Ｌ２には、その中に円形線１４ａ，１４ｂ，１４ｃ，１４ｄ，１４ｅ相互の線隙間Ｅ１，Ｅ２，Ｅ３，Ｅ４を透過した透過光１６（図１（ｃ））が浮き出したような光学的特性が現れる。
【００１０】
具体的に説明すると、透過光１６は、複数の円形線１４ａ，１４ｂ，１４ｃ，１４ｄ，１４ｅ相互の線隙間Ｅ１，Ｅ２，Ｅ３，Ｅ４に対応した円形バーコード形状を成す複数の同心円状光帯１６ａ，１６ｂ，１６ｃ，１６ｄとなって現れる。この円形バーコード形状の複数の光帯１６ａ，１６ｂ，１６ｃ，１６ｄは、円形状に構成したバーコードとして識別可能な状態となっており、このバーコード（円形バーコード状の複数の光帯１６ａ，１６ｂ，１６ｃ，１６ｄ）の本数と配置間隔ｈ１，ｈ２，ｈ３と幅寸法ｍとの組み合わせからなるパターンを検出することによってコイン２の種類を識別することが可能となる。この場合、円形バーコード状の複数の光帯１６ａ，１６ｂ，１６ｃ，１６ｄのパターンは、ベース部材８に描かれた複数の円形線１４ａ，１４ｂ，１４ｃ，１４ｄ，１４ｅのパターンに対応して決まる。このため、複数の円形線１４ａ，１４ｂ，１４ｃ，１４ｄ，１４ｅによって記録された識別情報と、複数の光帯１６ａ，１６ｂ，１６ｃ，１６ｄによって現された識別情報とは互いに同一で且つ一致した情報内容を意味する。従って、円形バーコード状の複数の光帯１６ａ，１６ｂ，１６ｃ，１６ｄのパターンを認識することによって、識別情報付きコイン２の識別情報を読み取ることができる。
【００１１】
以下、識別情報付きコイン２の識別情報を読み取る動作について説明する。
識別情報読取装置の発光部（例えばレーザー光の発振装置）１８から識別情報読取光（レーザー光）Ｌ１を発振させた状態において、その識別情報読取光中に識別情報付きコイン２の識別部６が位置付けられると、そのとき識別部６を透過した透過光Ｌ２は、識別情報読取装置の受光部２０に受光され、識別部６に記録された識別情報が光学的に読み取られる。具体的には、複数の円形線１４ａ，１４ｂ，１４ｃ，１４ｄ，１４ｅ相互の線隙間Ｅ１，Ｅ２，Ｅ３，Ｅ４を透過した透過光Ｌ２は、図１（ｃ）に示すような円形バーコード形状を成す複数の同心円状光帯１６ａ，１６ｂ，１６ｃ，１６ｄとなって現れる。
【００１２】
受光部２０内には、その本数と配置間隔と幅寸法との組み合わせからなる各種バーコードの照合パターンが予め設定登録されており、識別部６を透過して現れた円形バーコード状の複数の光帯１６ａ，１６ｂ，１６ｃ，１６ｄのパターンと、予め設定登録された照合パターンとの照合処理が行われる。
この照合処理では、複数の光帯１６ａ，１６ｂ，１６ｃ，１６ｄの一部Ｐが径方向に沿って切り出され、その切り出された部分のパターンに照合処理が施される。具体的には、切り出された部分のパターンを構成するバーコード状の光帯１６ａ，１６ｂ，１６ｃ，１６ｄの本数が、予め設定登録された照合パターンに一致しているか否か、そして、バーコード状の光帯１６ａ，１６ｂ，１６ｃ，１６ｄの配置間隔ｈ１，ｈ２，ｈ３及び幅寸法ｍが、予め設定登録された照合パターンと等しいか否かが比較される。この場合、相互のパターンが合致していれば、そのコイン２は、予め設定登録されたものとして識別され、相互のパターンが不一致ならば、そのコイン２は、予め設定登録されていないものとして識別されることになる。
【００１３】
なお、上記の識別情報読取装置では、複数の光帯１６ａ，１６ｂ，１６ｃ，１６ｄの全体を受光した後、その一部Ｐを径方向に沿って切り出して照合処理を行っているが、これに限定されることはなく、複数の光帯１６ａ，１６ｂ，１６ｃ，１６ｄの一部Ｐのみを受光するように構成しても良い。
このように、複数の光帯１６ａ，１６ｂ，１６ｃ，１６ｄは、その一部Ｐを径方向に沿ってどの部分を切り出しても同一のパターンであるため、例えばコイン２が回転した状態であっても、識別情報読取装置で読み取られたパターンは常に一定し、照合処理に支障を来たすことはない。
【００１４】
ここで、本発明の具体的な実施例について説明を加える。
この実施例では、コイン２を使ってプレイ可能なパチスロやスロットマシン等が設置された遊技施設を想定し、所定の遊技施設（以下、正規遊技施設という）でのみ使用可能なコイン（以下、真正コインという）２とそうでない贋物コイン（例えば、他の遊技施設でのみ使用可能なコイン等）とを識別する。
【００１５】
まず、正規遊技施設において、識別情報付きコイン２の識別部６に所定のパターン（以下、真正パターンという）の複数の円形線１４ａ，１４ｂ，１４ｃ，１４ｄ，１４ｅから成る識別情報を記録すると共に、識別情報読取装置に真正パターンを設定登録する。この場合、パターン登録の順番は、識別情報読取装置に真正パターンを設定登録した後、この真正パターンに合わせて識別情報付きコイン２の識別部６に真正パターンに対応した複数の円形線１４ａ，１４ｂ，１４ｃ，１４ｄ，１４ｅから成る識別情報を記録してもよいし、これとは逆に、識別情報付きコイン２の識別部６に真正パターンに対応した複数の円形線１４ａ，１４ｂ，１４ｃ，１４ｄ，１４ｅから成る識別情報を記録した後、識別情報読取装置１２に真正パターンを設定登録しても良い。
【００１６】
また、識別情報付きコイン２の識別部６に真正パターンに対応した複数の円形線１４ａ，１４ｂ，１４ｃ，１４ｄ，１４ｅから成る識別情報を記録する方法の一例としては、円形孔４ａを有するコイン本体４を成型すると共に、円形孔４ａに略一致した直径のベース部材８を形成する。そして、ベース部材８の両面或いは片面に、同心円状に配置された複数の円形線１４ａ，１４ｂ，１４ｃ，１４ｄ，１４ｅを描いた後、円形孔４ａのセンターにベース部材８を嵌合させ、その両側に透光材１０，１２を充填する。
なお、コイン本体４の材料としては、例えば、金属や樹脂、ガラス、鉛など、長期使用に対して経年変化（磨耗、変形など）の少ない耐久性に優れた材料であれば任意の材料を適用することができる。
【００１７】
この場合、正規遊技施設において購入した真正コイン２には、その識別部６に真正パターンに対応した円形線１４ａ，１４ｂ，１４ｃ，１４ｄ，１４ｅから成る識別情報が記録されているため、かかる真正コイン２を購入した遊技者がパチスロやスロットマシン等をプレイするのには何らの問題は生じない。これに対して、正規遊技施設内に不正に持ち込まれた贋物コインには、識別部６が存在しないか、或いは、識別部６が存在したとしても、その識別部６には、真正パターンとは異なるパターンの識別情報が記録されている。このため、贋物コインを使用してプレイしようとしても、識別情報読取装置によってはじかれてしまうため、パチスロやスロットマシン等のプレイ不能となる。
【００１８】
具体的に説明すると、真正コインと贋物コインとの識別が行われるタイミングとして考えられるのは、実際にプレイしようとする直前が想定される。従って、識別情報読取装置は、各パチスロやスロットマシン等のコイン投入経路に配置することが好ましい。この場合、真正コインがコイン投入口から投入された場合、識別部６に記録されたパターンは受光部１４に設定登録された照合パターンと一致するため、真正コインとみなされ、はじかれること無くプレイゾーン（パチスロやスロットマシン等をプレイ可能とする部分）へ導かれる。これに対して、贋物コインがコイン投入口から投入された場合、受光部１４に設定登録された照合パターンと不一致となるため、贋物コインとみなされ、例えば返却口へはじかれる。
【００１９】
以上、本実施の形態の識別情報付きコイン２によれば、コイン本体４に識別部６を設け、この識別部６にコイン２の種類を識別するための識別情報を記録したことによって、例えば真正コインと贋物コインとの識別を短時間且つ確実に行うことができる。
また、コイン本体４の識別部６に対してベース部材８を埋め込むだけで短時間に且つ低コストに識別情報付きコイン２を完成させることができる。
更に、識別部６の識別情報として複数の円形線１４ａ，１４ｂ，１４ｃ，１４ｄ，１４ｅを同心円状にバーコード化したことによって、図１（ｃ）に示すような部分Ｐを切り出して読み取っても、その読取部分は常に一定のパターンを成したものとなる。この結果、例えばコイン２が回転している場合でも、照合処理を誤ることはない。
【００２０】
なお、本発明は、上述したような構成に限定されることはなく、以下のように種々変更することが可能である。
例えば図２に示すように、コイン本体４における円形孔４ａの一方側に段部４ｂを設けても良い。この段部４ｂは、その内径が小さくなっており、円形孔４ａから内方に突出した形状を成している。このため、円形孔４ａのセンターにベース部材８を嵌合させると、ベース部材８の一方側周面が段部４ｂに当て付けられた状態となる。この場合、段部４ｂは、ベース部材８のストッパとしての機能を発揮し、その状態で、ベース部材８の両側に透光材２４，２６を充填する。
【００２１】
このような変形例によれば、ベース部材８の両面に形成された複数の円形線２０は、透光材１０，１２によって外部から隔絶された状態に維持されているため、長期使用による経年変化することはない。
また、この変形例のように段部４ｂを設けることによって、段部４ｂをベース部材８のストッパとして機能させることができるため、ベース部材８が容易に脱落することを防止することが可能となる。
【００２２】
【発明の効果】
本発明によれば、コインの種類を識別するための識別情報を識別部に設けたことによって、不正なコインと正規なコインとを正確に識別することができる。
【図面の簡単な説明】
【図１】（ａ）は、本発明の一実施の形態に係る識別情報付きコインの平面図、（ｂ）は、同図（ａ）のｂ−ｂ線に沿う断面図、（ｃ）は、コインから識別情報を読み取っているプロセスを説明するための図。
【図２】本発明の変形例に係る識別情報付きコインの分解斜視図。
【符号の説明】
２  識別情報付きコイン
４  コイン本体
６  識別部
１４ａ，１４ｂ，１４ｃ，１４ｄ，１４ｅ  円形線
Ｈ１，Ｈ２，Ｈ３，Ｈ４  複数の円形線の配置間隔
Ｌ１  識別情報読取用光
Ｌ２  透過光
Ｍ  線幅
【図１】
2004288116.tif 000003
【図２】
2004288116.tif 000004